(57)【要約】      （修正有）【課題】突張伸縮棒を取り付けるべき被当接面が壁などの平面であるか或いはパイプラックの柱などの円筒形状であるかによって突張伸縮棒を使い分けることなくいずれの被当接面であっても使用できる突張伸縮棒を提供する。【解決手段】外側ポール３の内部に配置された内側ポール５を外側ポール３から出入することによって伸縮自在に形成し、両端側に取り付けた当接部材１０の当接面を付勢力によって被当接面にそれぞれ当接させることにより所定の箇所に配置固定する突張伸縮棒において、当接部材１０の当接面が円柱状の被当接面と当接するのに適した曲面部１５と、平面状の被当接面と当接するのに適した平面部１７を備えている。【選択図】図２
0003202241.tif 000002
【実用新案登録請求の範囲】
【請求項１】
外側ポールの内部に入れ子式に配置された内側ポールを前記外側ポールから出入することによって伸縮自在に形成し、両端側に取り付けた当接部材の当接面を付勢力によって被当接面にそれぞれ当接させることにより所定の箇所に配置固定する突張伸縮棒において、
前記当接部材は、
前記当接面が円柱状の被当接面と当接するのに適した曲面部と、平面状の被当接面と当接するのに適した平面部を備えていることを特徴とする突張伸縮棒。
【請求項２】
請求項１に記載の突張伸縮棒において、
前記曲面部は、前記被当接面が円柱状である場合に、曲率半径が９．５〜１２．５ｍｍであることを特徴とする突張伸縮棒。
【請求項３】
請求項１又は２に記載の突張伸縮棒において、
前記外側ポール又は前記内側ポールの一方側若しくは両側に取り付けられた前記当接部材は、前記外側ポール及び内側ポールの長手方向を回動軸として回動可能に取り付けられていることを特徴とする突張伸縮棒。
【考案の詳細な説明】
【技術分野】
【０００１】
本考案は、付勢力によって被当接面の間に配置固定される突張伸縮棒に関し、さらに詳しくは、被当接面と当接する突張伸縮棒の当接部材に関する。
【背景技術】
【０００２】
対向する壁面の間に付勢力をもって配置固定する突張伸縮棒が知られている。このような突張伸縮棒は、壁に釘やネジなどを用いる必要がないので取り付けが簡単であり、種々の形状のものが実用化されている。そのような突張伸縮棒としては、例えば特許文献１に示すものがある。
【０００３】
一方、近年では、スチール製の円柱状パイプを適宜に組み合わせて形成される組立式のパイプラックが知られている。組立式のパイプラックは、適宜の間隔で棚部材を取り付けることで収納するものに併せて形状を構成できる。そのようなパイプラックとしては、例えば特許文献２に示すものがある。
【先行技術文献】
【特許文献】
【０００４】
【特許文献１】特開２００１−１１２６０２号公報
【特許文献２】実用新案登録第３０９４７５４号公報
【考案の概要】
【考案が解決しようとする課題】
【０００５】
従来の突張伸縮棒の両端に取り付けられた当接部材は、壁面に取り付けられることを想定し、当接面が平面形状であるものが多数であった。当接部材の当接面が平面形状であると、上述したパイプラック円柱状の柱の間に取り付けた場合、当接部材の接触面と円柱状の柱の表面とが接触する部分の面積が狭く、突張伸縮棒に対して上下方向からの力にはある程度耐え得るが、横方向からの力が加わると容易に外れてしまうという問題があった。そのため、パイプラックの円柱状の柱のように伸縮突張棒の当接部材の当接面の形状を円柱状の柱の側面形状に即した曲面状にしたものが提案されている。
【０００６】
しかしながら、突張伸縮棒を取り付けるべき被当接面が壁などの平面であるか或いはパイプラックの柱などの円筒形状であるかによって使用する突張伸縮棒を別々に用意するのは面倒である。
【０００７】
そこで、本考案は、突張伸縮棒を取り付けるべき被当接面が壁などの平面であるか或いはパイプラックの柱などの円筒形状であるかによって突張伸縮棒を使い分けることなくいずれの被当接面であっても使用できる突張伸縮棒を提供することを目的とする。
【０００８】
また、本考案は、突張伸縮棒を取り付けるべき被当接面が壁などの平面であっても或いはパイプラックの柱などの円筒形状であっても確実に固定が可能であり、いずれの方向から荷重がかかっても容易に脱落することがない突張伸縮棒を提供することを目的とする。
【課題を解決するための手段】
【０００９】
上記課題を解決するために請求項１に記載の本考案は、外側ポールの内部に入れ子式に配置された内側ポールを前記外側ポールから出入することによって伸縮自在に形成し、両端側に取り付けた当接部材の当接面を付勢力によって被当接面にそれぞれ当接させることにより所定の箇所に配置固定する突張伸縮棒において、前記当接部材は、前記当接面が円柱状の被当接面と当接するのに適した曲面部と、平面状の被当接面と当接するのに適した平面部を備えていることを特徴とする。
【００１０】
上記課題を解決するために請求項２に記載の本考案は、請求項１に記載の突張伸縮棒において、前記曲面部は、前記被当接面が円柱状である場合に、曲率半径が９．５〜１２．５ｍｍであることを特徴とする。
【００１１】
上記課題を解決するために請求項３に記載の本考案は、請求項１又は２に記載の突張伸縮棒において、前記外側ポール又は前記内側ポールの一方側若しくは両側に取り付けられた前記当接部材は、前記外側ポール及び内側ポールの長手方向を回動軸として回動可能に取り付けられていることを特徴とする。
【考案の効果】
【００１２】
本考案に係る突張伸縮棒によれば、突張伸縮棒の両端に取り付けられる当接部材の当接面に円柱状の被当接面と当接するのに適した曲面部と、平面状の被当接面と当接するのに適した平面部を設けることしたので、突張伸縮棒を取り付けるべき被当接面が壁などの平面であるか或いはパイプラックの柱などの円筒形状であるかによって突張伸縮棒を使い分けることなく、いずれの被当接面であっても使用できるという効果がある。
【００１３】
また、本考案に係る突張伸縮棒によれば、突張伸縮棒を取り付けるべき被当接面が壁などの平面であっても或いはパイプラックの柱などの円筒形状であっても確実に固定が可能であり、いずれの方向から荷重がかかっても容易に脱落することがないという効果がある。
【図面の簡単な説明】
【００１４】
【図１】本考案に係る突張伸縮棒の好ましい一実施形態の斜視図である。
【図２】突張伸縮棒の端部に取り付けられる当接部材の斜視図である。
【図３】図２に示す当接部材の平面図である。
【図４】図２に示す当接部材の側面図である。
【図５】被当接面が平面である壁に突張伸縮棒を取り付けた状態を示す説明図である。
【図６】被当接面が円筒形状であるパイプラックの柱に突張伸縮棒を取り付けた状態を示す説明図である。
【考案を実施するための形態】
【００１５】
以下、本考案に係る突張伸縮棒について図面を参照しつつ詳細に説明する。図１は本考案に係る突張伸縮棒の好ましい一実施形態の斜視図、図２は突張伸縮棒の端部に取り付けられる当接部材の斜視図である。
【００１６】
［突張伸縮棒の構成］
図１に示す突張伸縮棒１は、外側ポール３の内部に入れ子式に配置された内側ポール５を備えており、内側ポール５を外側ポール３から出入することによって伸縮自在に形成されている。そして、突張伸縮棒１の両端部にはそれぞれ当接部材１０，１０が取り付けられている。
【００１７】
外側ポール３は内部が空洞に形成され、図示しないばね部材が収容配置されている。また、内側ポール３も内部が空洞に形成されている。内側ポール３は外側ポール５内に配置された図示しないばね部材を内部に収容した状態で挿入される。内側ポール３の外側ポール５へ挿入される側の端部近傍の内面には図示しないばね部材の端部が掛止される図示しない凸部が設けられており、外側ポール５と内側ポール３を相対的に回動させると凸部が螺旋状のバネ部材に沿って移動することにより、内側ポール３が外側ポール５内へ進入後退し、突張伸縮棒１の全長を適宜の長さに調整することが出来るようになっている。突張伸縮棒１の長さを調整するための構造はこれに限るものではなく、適宜の構造を採用することができる。
【００１８】
［当接部材の構成］
当接部材１０は、図２に示すように、内側ポール３又は外側ポール５の開放端に取り付けるための取付部１１と、取付部１１から拡開するようにして形成された本体部１３とを備えている。当接部材１０は弾性を有する合成樹脂や合成若しくは天然ゴムなどによって形成される。そして、本体部１３の当接面、すなわち、突張伸縮棒１を取り付けるべき壁面（以下、「平面状の被当接面」という。）Ｗや、パイプラックの円柱状の支柱（以下、「円柱状の被当接面」という。）Ｐと当接する側の面には中央部分に円柱状の被当接面Ｐの表面に密接するようにして当接する曲面部１５と、平面状の被当接面Ｗと密接するようにして当接する平面部１７，１７が曲面部１５の両側に形成されている。尚、内側ポール３及び外側ポール５に取り付けられる当接部材１０は、内側ポール３側若しくは外側ポール５側又はその両側が内側ポール３や外側ポール５の開放端に対して回動可能に取り付けられており、これにより内側ポール３を適宜に回動させた場合でも円柱状の被当接面Ｐに密接するように位置合わせができるようになっている。
【００１９】
曲面部１５は、突張伸縮棒１を取り付ける箇所が円柱状の被当接面Ｐである場合にその円柱状の被当接面Ｐの曲率に合致した形状に形成される。従って、曲面部１５の曲率は円柱状の被当接面Ｐの曲率に合わせて適宜に設定することができる。例えば、金属成部材を適宜に組み合わせることによって組み立てられるパイプラックの円柱状の支柱は一般的に直径が１９〜２５ｍｍであるため、曲面部１５の曲率半径を９．５〜１２．５ｍｍとすることにより曲面部１５をパイプラックの円柱状の支柱に密接させた状態でしっかりと取り付けることが可能となる。
【００２０】
また、曲面部１５の両側には略「Ｄ」字形状をした平面部１７，１７が形成されている。この平面部１７，１７は壁や家具等の側面のように当接面が平面状の被当接面Ｗである場合に所定の面積をもって密接するように形成されている。従って、当接部材１０は、当接面が平面状の被当接面Ｗ及び円柱状の被当接面Ｐのいずれの場合でも突張伸縮棒１をしっかりと固定することができる。
【００２１】
［突張伸縮棒の動作］
初めに、突張伸縮棒１を取り付けるべき場所の間隔に合わせて内側ポール５を回動させることにより外側ポール３から進入後退させて長さを調整する。この場合、取り付け場所の間隔よりも僅かに長くしておく。そして、内側ポール３又は外側ポール５の当接部材１０を当接面である平面状の被当接面Ｗ又は円柱状の被当接面Ｐの所定箇所に密接させる。次いで、反対側の当接部材１０を押圧することにより突張伸縮棒１を取り付け間隔よりも短くなるように圧縮し、反対側の平面状の被当接面Ｗ又は円柱状の被当接面Ｐに密接させるか、または、内側ポール５を伸長方向に回動させることにより取り付け場所に固定する。このとき、当接面が円柱状の被当接面Ｐである場合には当接部材１０を回動させることで曲面に即した状態で曲面部１５を密接させることができる。
【００２２】
以上のように、本考案に係る突張伸縮棒について好ましい実施形態について説明したが、本考案は、上記実施形態に限定されるものではなく、本考案の技術思想を逸脱或いは変更しない範囲内で種々変形が可能である。
【符号の説明】
【００２３】
Ｗ      平面状の被当接面
Ｐ      円柱状の被当接面
１      突張伸縮棒
３      内側ポール
５      外側ポール
１０      当接部材
１１      取付部
１３      本体部
１５      曲面部
１７      平面部
【図１】
0003202241.tif 000003
【図２】
0003202241.tif 000004
【図３】
0003202241.tif 000005
【図４】
0003202241.tif 000006
【図５】
0003202241.tif 000007
【図６】
0003202241.tif 000008